(57)【要約】本発明は、フィルム（１０）に近接して配置された、光整形／ガイドの放射面（６４）が照射されるフィルム領域の寸法を実質的に有する光整形／ガイド（６）の受光面（６３）を照射する反射器と協働するランプ型デバイス（２）に関する。前記光整形／ガイド（６）は２つの対向する平面を具備する一体部片であり、２つの面の一方は受光面（６３）であり、他方は放射面（６４）である。本発明は、フィルム走査分析のための強力かつ均一な光ビームを与えるデバイスに有用である。
2005517329.tif 000002
【特許請求の範囲】
【請求項１】
フィルム走査のために使用可能な光源デバイスにおいて、光整形ガイド（６）の受光面（６３）を照射する反射器（５）と協働するランプ（２）を備え、前記フィルム（１０）に近接して配置された、前記ランプの放射面（６４）が、照射される前記フィルム領域の寸法をほぼ有していることを特徴とする光源デバイス。
【請求項２】
前記光整形／ガイド（６）は、２つの対向する平面（６１、６２）を具備する一体部片であり、２つの平面の一方は前記受光面（６３）であり、他方は前記放射面（６４）、及び前記受光面（６３）を前記放射面（６４）に結合する２つの側面（６５、６６）であることを特徴とする、請求項１に記載のデバイス。
【請求項３】
前記平面（６１、６２）は、互いに対して僅かに傾斜しており、かつ前記受光面（６３）から前記放射面（６４）まで進行時に減少する距離だけ互いに分離されることを特徴とする、請求項２に記載のデバイス。
【請求項４】
前記受光面（６３）及び前記放射面（６４）は、互いに平行に位置し、かつ２つの前記傾斜面（６１、６２）の対称平面に直角であることを特徴とする、請求項２に記載のデバイス。
【請求項５】
前記受光面（６３）は、２つの前記傾斜面（６１、６２）の対称平面に直角な複数の軸線を有する連続した平行に刻まれた線（６７）を含むことを特徴とする、請求項２に記載のデバイス。
【請求項６】
前記側面（６５、６６）は楕円形状に湾曲されており、かつ前記受光面（６３）の２つの長手方向に直角な前記端縁を前記放射面（６４）の２つの長手方向に直角な前記端縁にそれぞれ結合することを特徴とする、請求項２に記載のデバイス。
【請求項７】
前記反射器（５）は放物線形状をしていることを特徴とする、請求項１に記載のデバイス。
【請求項８】
前記光整形／ガイド（６）は、前記光整形／ガイドの回折率と異なる回折率を有する、前記光整形／ガイド内に一体化された要素を含むことを特徴とする、請求項１に記載のデバイス。
【請求項９】
前記光整形／ガイド（６）内に一体化された前記要素は、前記傾斜面（６１、６２）の対称平面に直角に位置する貫通オリフィス（６８）であることを特徴とする、請求項８に記載のデバイス。
【請求項１０】
前記オリフィス（６８）は切頭楕円形状をしていることを特徴とする、請求項９に記載のデバイス。
【請求項１１】
前記光整形器／ガイド（６）は４つの固定タブ（１５、１６、１７、１８）を含むことを特徴とする、請求項１に記載のデバイス。
【発明の詳細な説明】
【技術分野】
【０００１】
本発明は光源デバイスに関する。具体的に言えば、排他的ではないが、本発明は、フィルム走査のために強く均一な光ビームを伝えるデバイスに関する。
【背景技術】
【０００２】
一般に、フィルムを走査することによってフィルムをデジタル化することは知られている。フィルムは、一方で、フィルムの幅にほぼ等しい長さを有する幅狭矩形横断面から成る光ビームをフィルムに照射可能な光源と、他方で、電荷結合検出器（ＣＣＤｓ）から成るアレイ上にフィルムの照射された部分の画像を投射する物体と、を備える。
【０００３】
正確な走査のために、光強度はフィルムの照射された全領域に亘って高く且つ均一でなければならないことが判明している。
【０００４】
この結果を達成するために、大きなスリット・ランプが使用される。しかしながら、この種のランプが必然的に伴う（嵩張り、熱放散、光強度の均一性、一体化の困難性など）の全ての欠点により、寸法を過大にする必要があるから、この種のランプの光効率は比較的低い。
【０００５】
したがって、本発明の目的は、具体的に言えば、これらの欠点を除去することである。
【０００６】
このために、本発明は、光形成ガイドの受光面を照射する反射器と協働するランプを具備する均一強度光ビームを得るための手段を備える光源を提案する。フィルムに近接して配置された光源の放射面は照射されるフィルム領域の寸法を実質的に有する。
【０００７】
この光ガイドは、例えば、一束の光ファイバーから構成し得る。これらの光ファイバーの受光端は焦点合わせされた光ガイドによって生成された光ビームの横断面にほぼ対応するように寸法でけられた受光面を画定するように一緒にグループ化される。放射端部は照射されるフィルム領域に対応する形状及び寸法の放射面を得るように配置される。
【０００８】
例えば、光形成／ガイドは、例えば、平坦な一部品片からも作り得るが、この一部品は、
−２つの主平面と、
−２つの主平面の対称面に直角であるように互いに面する、一方が受光面であり、他方が放射面である２つの面と、
−受光面を放射面に結合する２の側面と、を備える。
【０００９】
本発明の実施形態を、添付図面を参照して、非限定的な実施形態によって以下に説明する。
【発明を実施するための最良の形態】
【００１０】
図１に示す実施形態では、例えば、平行六面体形状から成るモジュール１を備える本発明によるデバイスは、供給装置３及び制御装置４によって供給された等方性光源２と、等方性光源２によって放射された放射の全てを与えられた方向に反射するための放物面反射器５と、放射面６４に矩形形状から成る均一な光ビームを生成するための光形成／ガイド６と、光源２、反射器５、及び光源２によって放射された光の光形成／ガイド６からの熱損失を引き出すためのヒートシンク７と、放射面と対向して配置され、かつ同じ寸法のスリット８と、を備える。
【００１１】
モジュール１は、走査されるフィルム１０を照射する光ビーム９を生成する。透過光線ビーム１１がフィルム１０を通過した後、光デバイス１３によって、このビームは電荷結合素子１２（ＣＣＤアレイ）上に焦点合わせされる。電荷結合素子１２は、シフトレジスター１４から成る読取レジスターと協働する。全組立体は、光成形／ガイドによって照射されたフィルム領域の画像走査の結果である一時的な情報に変換される、光ビーム１１によって担持される空間的情報を可能にする。
【００１２】
図２、図３、図４及び図５は本発明の種々の光整形／ガイド６を示す。光整形／ガイド６は、例えば、モールド成形されたポリメタクリル酸メチル（ＰＭＭＡ）のような透明な材料で作られた平坦な一体部片から作り得る。この一体部片は、互いに対して僅かに傾斜しており、かつ受光面から放射面まで進行時に減少する距離だけ互いに分離される２つの主平面と、互いに平行に位置し、かつ２つの傾斜面６１、６２の対称平面に直角である、一方は受光面６３、他方は放射面６４である、２つの面と、楕円形態に湾曲されており、かつ受光面６３の２つの長手方向に直角な端縁を放射面６４の２つの長手方向に直角な端縁にそれぞれ結合する２つの湾曲された縦面６５、６６と、を備える。
【００１３】
受光面６３は、ランプ／反射器組立体によって放射された光ビーム内に向けた矩形形状を有する。
【００１４】
この受光面６３は、２つの面６１、６２の対称平面に直角な複数の軸線を有する連続した平行に刻まれた線６７を含む。
【００１５】
光形成／ガイド６は、受光面６３に近接して、２つの傾斜面６１、６２の対称平面に直角に位置する貫通オリフィス６８を含む。
【００１６】
オリフィス６８は、受光面６３側上、及び、光形成／ガイド６の放射面６４側上に先端を切られた楕円横断面を有し、受光面側の先端を切られた部分６９は放射面側の部分７０より小さい。
【００１７】
光ガイドは、受光面６３及び放射面６４の延長部に置かれた、自身を固定するための、４つの固定タブ１５〜１８を含む。これらの固定タブにはＶ字形状の心出しノッチが設けられている。
【００１８】
平面６１、６２、受光面６３、放射面６４、２つの側面６５、６６、回折格子６７及び貫通オリフィス６８の組合せは、フィルムを走査可能にする矩形形状の均一なビームを得ることを可能にする。
【００１９】
受光面６３上の刻まれた線６７の目的は、放射面６４の光強度の均一性を保証するために、その２つの面６９及び７０と協働して、光形成／ガイドの反射壁６１、６２、６３、６４、６５及び６６と、貫通オリフィス６８と、を組み合わせて、光形成／ガイド内の光源から受光した光を拡散させることである。受光面６３の中央部分から発される光は、凸面鏡として働き、かくして、光形成／ガイド６の放射面６４の中央部分に光が集中するのを阻止する、オリフィス６８によって楕円縦面６５、６６に向けて反射される。
【００２０】
本発明は上述した実施形態に限定されるものではないことに留意すべきである。貫通オリフィス６８によって満足される機能は、おそらくは空気と光形成／ガイド６の形状及び屈折率とは異なる形状及び屈折率を有する、透明な本体によって満足させ得る。
【図面の簡単な説明】
【００２１】
【図１】フィルム走査に使用される本発明によるデバイスの概略図である。
【図２】本発明による光形成／ガイドの側面図である。
【図３】本発明による光形成／ガイドの平面図である。
【図４】本発明による光形成／ガイドの側面図である。
【図５】本発明による光形成／ガイドの斜視図である。
【符号の説明】
【００２２】
２  ランプ
５  反射器
６  光整形／ガイド
１０  フィルム
１５、１６、１７、１８  固定タブ
６１、６２  対向する平面
６３  受光面
６４  放射面
６５、６６  側面
６７  平行に刻まれた線
６８  貫通オリフィス
【図１】
2005517329.tif 000003
【図２】
2005517329.tif 000004
【図３】
2005517329.tif 000005
【図４】
2005517329.tif 000006
【図５】
2005517329.tif 000007
【国際調査報告】
2005517329.tif 000008
2005517329.tif 000009
2005517329.tif 000010
2005517329.tif 000011